(57)【要約】【課題】輸液セット等におけるチューブ等のねじれを確実に防止することができる液体入りバッグ吊り下げ具を提供することにある。【解決手段】本発明の吊り下げ具１は、本体２と、本体２をスタンド等に取り付けまたは懸架する架け具３と、例えば輸液バッグのような液体入りバッグに係合してこれを吊り下げるフック４と、フック４を本体２に対し少なくとも１方向に回転可能に支持する支持部５とを備えている。支持部５は、本体２に形成された孔２１に挿通された軸６と、軸６を回転可能に支持する軸受け７とで構成されている。また、支持部５は、クリック機構８を有している。【選択図】図２
2005027718.tif 000002
【特許請求の範囲】
【請求項１】
本体と、液体入りバッグに係合するフックと、前記フックを前記本体に対し少なくとも１方向に回転可能に支持する支持部とを備えることを特徴とする液体入りバッグ吊り下げ具。
【請求項２】
前記本体をスタンドに取り付けまたは懸架する部材を有する請求項１に記載の液体入りバッグ吊り下げ具。
【請求項３】
前記支持部は、軸と、前記軸を回転可能に支持する軸受けとを有する構造である請求項１または２に記載の液体入りバッグ吊り下げ具。
【請求項４】
前記支持部は、クリック機構を有する請求項１ないし３のいずれかに記載の液体入りバッグ吊り下げ具。
【請求項５】
前記フックに、重量５００〜１０００ｇの液体入りバッグの下端部に長さ１ｍの可撓性を有する樹脂製チューブを接続したものを吊り下げ、前記チューブの下端を３回転軸回転させたとき、前記液体入りバッグが同方向に１〜２回転する程度の回転抵抗を持つものである請求項１ないし４のいずれかに記載の液体入りバッグ吊り下げ具。
【発明の詳細な説明】
【０００１】
【発明の属する技術分野】
本発明は、例えば、輸液バッグ等の液体入りバッグを点滴スタンドに吊り下げるための液体入りバッグ吊り下げ具に関する。
【０００２】
【従来の技術】
輸液療法においては、輸液を収納する輸液バッグ、この輸液バッグに接続されたチューブ、チューブの途中に設置された点滴筒、チューブの先端に装着された穿刺針等で構成される輸液セットが用いられている。この輸液セットは、通常、スタンド（点滴用スタンド）により輸液バッグを高所に吊り下げ、患者等の血管に穿刺針を穿刺した状態で、落差により輸液バッグから輸液をチューブおよび穿刺針を介して患者等に投与するものである。
【０００３】
ところで、このような輸液治療は、輸液速度に限界があることから、輸液の投与が完了するまでに相当の長い時間を要することとなる。そして、この間に患者は、移動したり寝返りをうったりすることがあるが、注射針は患者の腕等に固定されているため、輸液セット全体あるいは輸液セットのチューブがねじれてしまうことがある。
【０００４】
特に、チューブが局所的にねじれると、その内部流路が閉塞し、輸液の供給が停止または減速することがあるので、このようなねじれは回避する必要がある。
【０００５】
そこで、このようなチューブ等のねじれを解消する技術として、「点滴装置用より戻し具」が知られている（例えば、特許文献１参照）。この点滴装置用より戻し具は、板片状の本体１と、この本体を固定するための巻き付け用テープ４とを有し、本体１の一端部が垂直に折り曲げられており、この折り曲げられた部分に注射針１４が通過する真円状孔２が形成された構成のものである。
【０００６】
しかしながら、この点滴装置用より戻し具は、使用する毎に輸液セットのチューブや注射針１４に装着しなければならず、手間がかかるとともに、注射針１４の太さが太くなると、真円状孔２に挿入できないか、あるいは挿入できても摩擦力が大きくなり、ねじれが生じたときに、そのねじれを自動的に戻す機能が発揮されないという問題がある。
【０００７】
【特許文献１】
特開２００１−１０４４７６号公報
【０００８】
【発明が解決しようとする課題】
本発明の目的は、輸液セット等におけるチューブ等のねじれを確実に防止することができる液体入りバッグ吊り下げ具を提供することにある。
【０００９】
【課題を解決するための手段】
このような目的は、下記（１）〜（５）の本発明により達成される。
【００１０】
（１）  本体と、液体入りバッグに係合するフックと、前記フックを前記本体に対し少なくとも１方向に回転可能に支持する支持部とを備えることを特徴とする液体入りバッグ吊り下げ具。
【００１１】
（２）  前記本体をスタンドに取り付けまたは懸架する部材を有する上記（１）に記載の液体入りバッグ吊り下げ具。
【００１２】
（３）  前記支持部は、軸と、前記軸を回転可能に支持する軸受けとを有する構造である上記（１）または（２）に記載の液体入りバッグ吊り下げ具。
【００１３】
（４）  前記支持部は、クリック機構を有する上記（１）ないし（３）のいずれかに記載の液体入りバッグ吊り下げ具。
【００１４】
（５）  前記フックに、重量５００〜１０００ｇの液体入りバッグの下端部に長さ１ｍの可撓性を有する樹脂製チューブを接続したものを吊り下げ、前記チューブの下端を３回転軸回転させたとき、前記液体入りバッグが同方向に１〜２回転する程度の回転抵抗を持つものである上記（１）ないし（４）のいずれかに記載の液体入りバッグ吊り下げ具。
【００１５】
【発明の実施の形態】
以下、本発明の液体入りバッグ吊り下げ具を添付図面に示す好適実施例に基づいて詳細に説明する。
【００１６】
図１は、本発明の液体入りバッグ吊り下げ具（以下単に「吊り下げ具」と言う）の第１実施形態を示す縦断面図である。なお、以下の説明では、図１中の上側を「上」または「上端」、下側を「下」または「下端」と言う。
【００１７】
図１に示すように、本発明の吊り下げ具１は、本体２と、本体２をスタンド等に取り付けまたは懸架する部材である架け具３と、例えば輸液バッグのような液体入りバッグ（吊り下げ対象物）に係合してこれを吊り下げるフック４と、フック４を本体２に対し少なくとも１方向に回転可能に支持する支持部５とを備えている。
【００１８】
本体２は、例えば上端が閉じた円筒状の中空部材で構成されている。本体２の下端部の中心部には、後述する軸６が挿通する孔２１が形成されている。
【００１９】
また、本体２の上部側壁には、棒状体（線状体）が所定の形状に曲げられて形成された架け具３の両端部がそれぞれ貫通するようにして装着されている。
【００２０】
架け具３は、例えばスタンドの横棒（アーム）１１に架けられて、吊り下げ具１全体を吊り下げる。このため、架け具３の頂部（上部）は、図示のような山形あるいは円弧状をなしているのが好ましい。
【００２１】
本体２および架け具３は、それぞれ、例えば、ステンレス鋼、アルミニウム、真ちゅうなどの銅合金等の各種金属材料、ポリエチレン、ポリプロピレン、硬質ポリ塩化ビニル、ポリアミド、ポリカーボネート、ポリ−（４−メチルペンテン−１）、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ポリエステル、フッ素系樹脂等の比較的硬質な樹脂材料で構成されている。
【００２２】
支持部５は、孔２１に挿通された軸６と、この軸６を回転可能に支持する軸受け７とで構成されている。軸６は、その上部に拡径した頭部６１を有している。この頭部６１の外径は、孔２１の内径より大きい。
【００２３】
この軸６は、頭部６の下部付近において軸受け７により回転可能に支持されている。軸受け７の種類は、特に限定されず、例えばボールベアリングのような転がり軸受けでも、すべり軸受けでもよい。
【００２４】
このような軸受け７を設けることにより、軸６、フック４およびそれに吊り下げられたものが比較的スムースに、すなわち後述するような適度なフックの回転抵抗で回転し、輸液セットやチューブ等のねじれをより確実に防止することができる。
【００２５】
本実施形態における支持部５は、軸６の回転方向は、正／逆いずれの方向も可能であるが、一方向にのみ回転可能な構成であってもよい。
【００２６】
軸６の下端部には、フック４が装着されている。フック４は、棒状体（線状体）が所定の形状、例えば略Ｃ字状に曲げられて形成されたものであり、その上端部が軸６を貫通して軸６に対し固定（または回動可能に設置）されている。これにより、フック４は、本体２に対し軸６とともに回転する。
【００２７】
フック４の構成材料についても、前述した架け具３の構成材料とほぼ同様のものが挙げられる。
【００２８】
なお、フック４の形状は、図示のものに限定されず、輸液バッグ等の液体入りバッグ（吊り下げ対象物）を吊り下げるのに適した種々の形状のものが使用可能である。
【００２９】
このような本発明の吊り下げ具１は、フック４の本体２に対する回転抵抗（以下単に「フックの回転抵抗」と言う）が、以下に述べる程度のものであるのが好ましい。すなわち、吊り下げ具１は、フック４に、重量５００〜１０００ｇの液体入りバッグ（例えば後述する輸液バッグ１３）の下端部に長さ１ｍの可撓性を有する樹脂製チューブ（例えばチューブ１５）を接続したものを吊り下げ、前記チューブの下端を３回転軸回転させたとき、前記液体入りバッグが同方向に１〜２回転する程度の回転抵抗を持つ。
【００３０】
フックの回転抵抗がこれより小さいと、チューブのねじれが生じた場合に、フック４の回転が過度になることがあり、また、フックの回転抵抗がこれを超えると、チューブのねじれを十分に解消または緩和することができなくなるおそれがある。
【００３１】
なお、この場合の樹脂製チューブは、例えば、内径２．０７ｍｍ、外径３．３３ｍｍのポリ塩化ビニル製のもの、または内径２．０８ｍｍ、外径３．３４ｍｍのポリブタジエン製のものを用いることができる。
【００３２】
このようなフックの回転抵抗は、吊り下げ具１に固有のものでも、吊り下げ具１に対し予め設定されているものでもよい。例えば、軸受け７として、上述したフックの回転抵抗を得られるような回転抵抗を有する軸受けを適宜選択して用いればよい。また、その他任意の付加的な手段（例えば、軸受け７の回転抵抗を増大させる摩擦増大手段）により上述したフックの回転抵抗を達成してもよい。
【００３３】
図２は、本発明の吊り下げ具の第２実施形態を示す縦断面図である。以下、前述の第１実施形態との相違点を中心に説明し、同様の事項についてはその説明を省略する。
【００３４】
図２に示す吊り下げ具１は、支持部５の構成が異なり、それ以外は第１実施形態と同様である。すなわち、支持部５は、軸６の回転に際してのクリック機構８を有する。以下、このクリック機構８について説明する。
【００３５】
本体２の側壁には、バネケース８１が固定されており、バネケース８１内には、コイル状のバネ８３が圧縮状態で収納されている。バネ８３の一端は、バネケース８１の図２中左端部に螺入された止めネジ（バネ座）８２に当接し、バネ８３の他端には、ボール（球体）８４が当接している。これにより、ボール８４は、バネ８３の弾性力（付勢力）により軸６の頭部６１の外周面に押し付けられている。
【００３６】
一方、頭部６１の外周面には、ボール８４が選択的に係合（挿入）する複数の穴（凹部）８５が、周方向に沿って等間隔で形成されている。
【００３７】
バネ８３の付勢によりボール８４が所定の穴８５に係合している状態から、軸６が例えば時計方向に回転すると、ボール８４はその穴８５から離脱して頭部６１の外周面上を転がり、次の穴８５に係合する。これを順次繰り返して、ボール８４が次々と穴８５に係合してゆく。ボール８４が穴８５に係合する度に、クリック音が生じる。軸６が前記と逆方向に回転した場合も同様である。
【００３８】
バネ８３の付勢力に抗してボール８４が穴８５から離脱し、次の穴８５に移るには、所定の力が必要であり、これにより軸６は、適度な回転抵抗が得られる。止めネジ８２の回転量（図２中左右方向の位置）により、バネ８３の収縮度を調節することができ、すなわち、バネ８３によるボール８４の付勢力（頭部６１への押付力）を調節することができ、これにより、軸６の回転抵抗（フックの回転抵抗）を所定の範囲で調節することができる。
【００３９】
このようなクリック機構８を設けることにより、次のような効果が得られる。
まず第１に、上述したフックの回転抵抗や回転量を適度に調節することができるので、例えば回転のし過ぎ（過剰回転）により輸液セットやチューブ等が逆方向にねじれてしまうことを防止することができる。
【００４０】
第２に、クリック機構８が作動する際に発するクリック音により、軸６およびフック４が回転していることを医師、看護婦、患者等が容易に認識することができる。
【００４１】
特に、後述するように、動物に対し輸液を行う場合、動物が動いてねじれが生じたときに、クリック音によりそのような状態を人間が知ることができるという利点がある。
【００４２】
なお、本実施形態の吊り下げ具１においては、フックの回転抵抗を調節可能なものに限らず、回転抵抗が一定の値に固定されたものでもよい。いずれの場合でも、フックの回転抵抗は、前記第１実施形態で述べた好適な範囲内であること、あるいはそのような範囲に設定可能なものであることが好ましい。
【００４３】
次に、吊り下げ具１の使用方法について説明する。
吊り下げ具１は、その架け具３にて、スタンド（点滴用スタンド）１０の横棒１１に架けられる。一方、吊り下げ具１のフック４には、輸液セット１２が吊り下げられる。
【００４４】
輸液セット１２は、輸液を収納する輸液バッグ１３と、輸液バッグ１３の下端部に接続された可撓性を有する樹脂製のチューブ１５と、チューブ１５の途中に設置された点滴筒（ドリップチャンバー）１４と、チューブ１５の先端に装着された穿刺針１６とで構成されている。また、チューブ１５の途中には、輸液速度を調節するクレンメ（図示せず）が設置されている。
【００４５】
この輸液セット１２は、輸液バッグ１３の上部に設けられた紐１７（あるいは孔）をフック４に架けることにより吊り下げられる。
【００４６】
穿刺針１６は、図示しない患者あるいは動物等の血管に穿刺される。高所に吊り下げられた輸液バッグ１３からは、落差（重力）により輸液が流出し、点滴筒１４、チューブ１５および穿刺針１６を経て患者等に投与される。
【００４７】
患者等が動いて、輸液セット１２全体またはチューブ１５にねじれが生じようとした場合、その回転力がフック４に伝達され、フック４が回転する。これにより、このようなねじれを未然に防止（予防）することができる。また、輸液セット１２全体またはチューブ１５にねじれが生じた場合でも、フック４がそのねじれを解消する方向に回転し、ねじれが解消または緩和される。
【００４８】
以上、本発明を図示の各実施形態に基づいて説明したが、本発明の吊り下げ具は、図示のものに限定されないことは言うまでもない。上述した吊り下げ具の各部の構成は、同様の機能を発揮し得る任意の構成のものと置換することができ、また任意の構成を付加することができる。
【００４９】
また、上記では、吊り下げ具により輸液セットを吊り下げる場合について説明したが、本発明の吊り下げ具により吊り下げられるもの（吊り下げ対象物）は、これに限らず、輸液以外の液体が収納された液体入りバッグ、それを含むセット類、その他いかなるものでもよい。
【００５０】
【発明の効果】
以上述べたように、本発明によれば、輸液セット等の液体入りバッグを吊り下げているフックが本体に対し回転することにより、輸液セットやチューブのねじれを防止することができ、また、ねじれが生じた場合でもそれを解消または緩和することができる。
【００５１】
特に、吊り下げる液体入りバッグの種類、構成、サイズ（例えばチューブの太さ）、重量等の条件にかかわらず、上述したねじれの防止（予防）効果、ねじれの解消または緩和効果を確実に発揮することができる。
【００５２】
また、フックの回転抵抗が適度に設定した場合には、チューブのねじれが生じた場合に、フックが過度に回転することなく、チューブのねじれを解消または緩和することができる。
【図面の簡単な説明】
【図１】本発明の吊り下げ具の第１実施形態を示す断面図である。
【図２】本発明の吊り下げ具の第１実施形態を示す断面図である。
【図３】本発明の吊り下げ具の使用方法を示す図である。
【符号の説明】
１          吊り下げ具
２          本体
２１        孔
３          架け具
４          フック
５          支持部
６          軸
６１        頭部
７          軸受け
８          クリック機構
８１        バネケース
８２        止めネジ
８３        バネ
８４        ボール
８５        穴
１０        スタンド
１１        横棒（アーム）
１２        輸液セット
１３        輸液バッグ
１４        点滴筒
１５        チューブ
１６        穿刺針
１７        紐
【図１】
2005027718.tif 000003
【図２】
2005027718.tif 000004
【図３】
2005027718.tif 000005